【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
船舶の機関の排ガスを浄化するスクラバーの循環液を配管を介して抜き出すポンプと、
前記ポンプから配管を介して送られる前記循環液を回転する複数のディスクでろ過する少なくとも２つ以上の回転式膜ろ過装置と、
前記各回転式膜ろ過装置内のろ過された濃縮液を排出する排出弁と、
前記回転式膜ろ過装置の下方に設けられ、前記濃縮液が前記排出弁を介して排出されるスラリータンクと、
前記ポンプと前記回転式膜ろ過装置とを稼働させて、前記ポンプで抜き出される前記循環液を、前記回転式膜ろ過装置でろ過して前記スクラバーに戻し、前記回転式膜ろ過装置を停止させる停止条件が成立した場合に、前記ポンプと前記回転式膜ろ過装置を停止させ、前記排出弁を開弁して、前記回転式膜ろ過装置内の濃縮液を排出する制御を行う制御装置とを備え、
前記回転式膜ろ過装置において、
鉛直方向に沿った回転軸の周りに前記複数のディスクが回転し、ろ過されたろ過液は上方から取り出される
ことを特徴とする船舶用排ガス浄化装置。
【請求項２】
船舶の機関の排ガスを浄化するスクラバーの循環液を抜き出す抜き出し弁と、
前記抜き出し弁を介して抜き出される前記循環液が貯留される少なくとも２つ以上のタンクと、
前記各タンク内の循環液を、回転する複数のディスクでろ過する少なくとも２つ以上の回転式膜ろ過装置と、
前記タンク内の貯留物または前記回転式膜ろ過装置のろ過された固形分を汲み上げるポンプと、
前記回転式膜ろ過装置内のろ過された固形分、または、該固形分および前記タンク内の貯留物を排出する排出弁と、
前記抜き出し弁を閉弁して、前記スクラバーから抜き出され前記タンク内に貯留される前記循環液を、前記ポンプで前記回転式膜ろ過装置に送り、前記回転式膜ろ過装置で、繰り返してろ過してそのろ過液を前記スクラバーに戻すとともにろ過室内の圧力が所定圧以上の場合に前記ろ過室内の濃縮液の一部を前記タンクに戻し、前記回転式膜ろ過装置を停止させる停止条件が成立した場合に、前記ポンプと前記回転式膜ろ過装置を停止し、前記排出弁を開弁して、前記回転式膜ろ過装置内の固形分、または、該固形分および前記タンク内の貯留物を前記ポンプの稼働により排出する制御を行う制御装置とを備え、
前記回転式膜ろ過装置は、
鉛直方向に沿った回転軸の周りに前記複数のディスクが回転し、ろ過されたろ過液は上方から取り出され、前記スクラバーに戻され、
かつ、
一方側の前記回転式膜ろ過装置で一方側の前記タンク内の循環液のろ過が行われている場合には、他方側の前記回転式膜ろ過装置は停止して他方側の前記抜き出し弁を介して前記循環液を他方側の前記タンクに抜き出す
ことを特徴とする船舶用排ガス浄化装置。
【請求項３】
請求項２に記載の船舶用排ガス浄化装置において、
前記スクラバーに戻される前記ろ過液の流量と他方側の前記タンクに抜き出される前記循環液の流量は同量である
ことを特徴とする船舶用排ガス浄化装置。
【請求項４】
船舶の機関の排ガスの有害物質を除去するスクラバーの循環液を、回転する複数のディスクでろ過する少なくとも２つ以上の回転式膜ろ過装置を用いて浄化する船舶用排ガス浄化装置の方法であって、
前記スクラバーの循環液の一部を継続してポンプで引き抜き、
引き抜いた前記循環液を鉛直方向に沿った回転軸の周りに前記複数のディスクが回転する前記回転式膜ろ過装置に通してろ過し、
ろ過後のろ液は、前記スクラバーに循環液として戻し、
前記回転式膜ろ過装置でろ過分離された濃縮液は、溜まった段階で前記回転式膜ろ過装置のろ過室から下方のスラリータンクに排出する
ことを特徴とする船舶用排ガス浄化装置の方法。
【請求項５】
船舶の機関の排ガスの有害物質を除去するスクラバーの循環液を、回転する複数のディスクでろ過する少なくとも２つ以上の回転式膜ろ過装置を用いて浄化する船舶用排ガス浄化装置の方法であって、
鉛直方向に沿った回転軸をもつ一方側の前記回転式膜ろ過装置の系では、前記スクラバーの循環液の一部を一時的にポンプで引き抜いて一方側のタンクに貯留し、
他方側の前記タンク内の循環液を、鉛直方向に沿った回転軸の周りに前記複数のディスクが回転する他方側の前記回転式膜ろ過装置でろ過してろ過後のろ液は前記スクラバーに循環液として戻すことを、繰り返し、
前記回転式膜ろ過装置でろ過分離された固形分または該固形分と濃縮液は溜まった段階で受け槽に排出する
ことを特徴とする船舶用排ガス浄化装置の方法。
【手続補正２】
【補正対象書類名】明細書
【補正対象項目名】００１３
【補正方法】変更
【補正の内容】
【００１３】
上記課題を達成すべく、独立請求項の第１の本発明に関わる船舶用排ガス浄化装置は、船舶の機関の排ガスを浄化するスクラバーの循環液を配管を介して抜き出すポンプと、前記ポンプから配管を介して送られる前記循環液を、回転する複数のディスクでろ過する少なくとも２つ以上の回転式膜ろ過装置と、前記各回転式膜ろ過装置内のろ過された濃縮液を排出する排出弁と、前記回転式膜ろ過装置の下方に設けられ、前記濃縮液が前記排出弁を介して排出されるスラリータンクと、前記ポンプと前記回転式膜ろ過装置とを稼働させて、前記ポンプで抜き出される前記循環液を、前記回転式膜ろ過装置でろ過して前記スクラバーに戻し、前記回転式膜ろ過装置を停止させる停止条件が成立した場合に、前記ポンプと前記回転式膜ろ過装置を停止させ、前記排出弁を開弁して、前記回転式膜ろ過装置内の濃縮液を排出する制御を行う制御装置とを備え、前記回転式膜ろ過装置において、鉛直方向に沿った回転軸の周りに前記複数のディスクが回転し、ろ過されたろ過液は上方から取り出されている。
独立請求項の第３の本発明に関わる船舶用排ガス浄化装置の方法は、第１の本発明の船舶用排ガス浄化装置を実現する方法である。
【手続補正３】
【補正対象書類名】明細書
【補正対象項目名】００１５
【補正方法】変更
【補正の内容】
【００１５】
独立請求項の第２の本発明に関わる船舶用排ガス浄化装置は、船舶の機関の排ガスを浄化するスクラバーの循環液を抜き出す抜き出し弁と、前記抜き出し弁を介して抜き出される前記循環液が貯留される少なくとも２つ以上のタンクと、前記各タンク内の循環液を、回転する複数のディスクでろ過する少なくとも２つ以上の回転式膜ろ過装置と、前記タンク内の貯留物または前記回転式膜ろ過装置のろ過された固形分を汲み上げるポンプと、前記回転式膜ろ過装置内のろ過された固形分、または、該固形分および前記タンク内の貯留物を排出する排出弁と、前記抜き出し弁を閉弁して、前記スクラバーから抜き出され前記タンク内に貯留される前記循環液を、前記ポンプで前記回転式膜ろ過装置に送り、前記回転式膜ろ過装置で、繰り返してろ過してそのろ過液を前記スクラバーに戻すとともにろ過室内の圧力が所定圧以上の場合に前記ろ過室内の濃縮液の一部を前記タンクに戻し、前記回転式膜ろ過装置を停止させる停止条件が成立した場合に、前記ポンプと前記回転式膜ろ過装置を停止し、前記排出弁を開弁して、前記回転式膜ろ過装置内の固形分、または、該固形分および前記タンク内の貯留物を前記ポンプの稼働により排出する制御を行う制御装置とを備え、前記回転式膜ろ過装置は、鉛直方向に沿った回転軸の周りに前記複数のディスクが回転し、ろ過されたろ過液は上方から取り出され、前記スクラバーに戻され、かつ、一方側の前記回転式膜ろ過装置で一方側の前記タンク内の循環液のろ過が行われている場合には、他方側の前記回転式膜ろ過装置は停止して他方側の前記抜き出し弁を介して前記循環液を他方側の前記タンクに抜き出している。
独立請求項の第４の本発明に関わる船舶用排ガス浄化装置の方法は、第２の本発明の船舶用排ガス浄化装置を実現する方法である。